(57)【要約】【課題】  砕波浅海域における標識灯の係留具が必要以上に磨耗するのを防止する。砕波力で、標体、灯火などが破損するのを防止する。漂砂あるいはそれが舞い上がることにより沈錘が埋没するのを防止する。砂粒の介在により係留具や係留索が必要以上に磨耗するのを防止する。砕波浅海域では標識ができるだけ目立たないように、標体を細く、かつ、短くする。【解決手段】  断面円形のパイプ状浮力体１の上方に、それより細い断面円形の標柱２を連続させて配置する。この標柱２の途中にはステップその他の機材を設けないで細長い１本の標体３を構成し、この標体３をユニバーサルジョイント５により沈錘４に係留する。標体３をステンレス鋼製とする。沈錘４を薄い方形板状の鋼製とする。ユニバーサルジョイント５のすべり軸受に、ダストシールを装着する。灯具６の灯火を電球とし、その保持台を防振装置付のベースで保持する。【選択図】  図１
2005186752.tif 000002
【特許請求の範囲】
【請求項１】
断面円形のパイプ状浮力体の上方にそれより細い断面円形の標柱を連続させて配置し、この標柱の途中にはステップその他の機材を設けないで細長い１本の標体を構成し、この標体を沈錘に係留したことを特徴とする砕波浅海域用スパーブイ。
【請求項２】
標体をステンレス鋼製としたことを特徴とする請求項１記載の砕波浅海域用スパーブイ。
【請求項３】
沈錘を鋼製とし、ユニバーサルジョイントによる標体との係留点を偏芯させたことを特徴とする請求項１記載の砕波浅海域用スパーブイ。
【請求項４】
沈錘を薄い方形板状とするとともに、その角部分を切除することを特徴とする請求項１または３記載の砕波浅海域用スパーブイ。
【請求項５】
沈錘に吊環を設けたことを特徴とする請求項１、３、４のいずれかに記載の砕波浅海域用スパーブイ。
【請求項６】
沈錘の底面に、長手方向に対して直角方向に滑り防止材を取り付けたことを特徴とする請求項１、３、４、５のいずれかに記載の砕波浅海域用スパーブイ。
【請求項７】
ユニバーサルジョイントのすべり軸受に、ダストシールを装着したことを特徴とする請求項３記載の砕波浅海域用スパーブイ。
【請求項８】
スイングボルトにより、標柱の上端に灯具を取り付けることを特徴とする請求項１記載の砕波浅海域用スパーブイ。
【請求項９】
灯具の電源を太陽電池パネルとし、それを電源室の箱体壁面に沿わせて貼り付けることを特徴とする請求項８記載の砕波浅海域用スパーブイ。
【請求項１０】
灯具の灯火を電球とし、その保持台を防振装置付のベースで保持したことを特徴とする請求項８または９記載の砕波浅海域用スパーブイ。
【請求項１１】
防振装置が側面截頭円錐形のインシュレータであり、それを複数個ベースに取り付け、インシュレータ付のこのベースで電球の保持台を保持したことを特徴とする請求項１０記載の砕波浅海域用スパーブイ。
【発明の詳細な説明】
【技術分野】
【０００１】
本発明は、人工リーフ、潜堤などの堤体が存在するところにおいて標識用として用いられるスパーブイに関するものである。
【背景技術】
【０００２】
人工リーフ、潜堤は、図１３および図１４においてＡで示すように、砂浜を有する海岸のような浅海に設置され、人為的に砕波を発生させて背後海域を静穏化するとともに、漂波（海底の砂が移動することをいう。以下、同じ）による砂の流出を防ぐ役目をするものである。
【０００３】
このような堤体Ａが浅海に設置されていることを航行船舶に知らせるために、灯具を備えた図１３のＢで示すような固定式のブイや同図Ｃで示すような係留式のブイが、標識用として用いられている。また、これらに代わるものとして、標体をパイプ状としてその途中に浮力体を設け、その係留具をショートリンク式もしくはユニバーサルジョイント式とし、沈錘をコンクリート製または鋼製とした灯浮標も開発されている（例えば、特許文献１）。
【特許文献１】特開２００３−２７６６７８号公報
【発明の開示】
【発明が解決しようとする課題】
【０００４】
堤体Ａの法面（のりめん）の水深が約１０ｍ以下となるような砕波浅海域で、このスパーブイを用いた場合には、通常、パイプ状の標体の長さが短くなり、ブイの固有周期が小さくなって波浪の周期に近づくため、共振してブイの動揺角が大きくなり、係留具が必要以上に磨耗する。また、砕波力で、標体、灯火などに衝撃的な波圧や砂が作用し、それらが破損する可能性が大きくなるのみならず、塗膜がはがれやすい。さらに、漂砂あるいはそれが舞い上がることにより沈錘が埋没しやすく、砂粒の介在により係留具や係留索が必要以上に磨耗するという問題がある。
【０００５】
一方、近年の景観保護重視のグローバル化に基づいて、砕波浅海域では標識ができるだけ目立たないように、標体を細く、かつ、短くすることが要求されている。
これらの要求事項と上述したブイの動揺角や破損その他の問題とは相反する関係にあるが、砕波浅海域で用いられるスパーブイは、少なくともこのように相反する要求をいずれも満たし得るものであることが望ましい。
【課題を解決するための手段】
【０００６】
この要望に応え得るため、本発明では、ブイの標体をできるだけ細く、かつ、短くするとともに、その強度を確保し得るものとすることを第一義の事項として捕らえた。そこで、本発明では、断面円形のパイプ状浮力体の上方にそれより細い断面円形の標柱を連続させて配置し、この標柱の途中にはステップその他の機材を設けないで細長い１本の標体を構成し、この標体を沈錘に係留する。このようにした場合には、砕波浅海域での波浪、潮流に対してもブイの強度が確保されるから、ブイが破損しにくい。
【０００７】
この場合において、標体の素材をステンレス鋼製とすることが望ましい。この場合には、砂粒による飛まつ帯での標体の塗膜がはがれても錆が発生することも少なく、錆発生による汚れを防止できる。
【０００８】
そして、沈錘については、それを鋼製とするとともに、ユニバーサルジョイントによる標体との係留点を偏芯させておくとよい。この場合には、標体との係留点が偏芯しているため、沈錘の長手方向に移動させやすい特徴があり、砂中に埋没した沈錘を容易に引き上げることができる。
【０００９】
沈錘を薄い方形板状とするとともに、その角部分を図３(c)に示すように切除することが望ましい。このようにした場合には、図１５(a)に示す潮流により、あるいは、図１５(b)に示す波浪により、渦流が生じて砂が舞い上がることによる洗掘を防止できる。
洗掘とは、潮流、波浪の作用によって構造物の基礎底面付近に渦流を生じ、その周辺の土砂、礫などを巻き上げまたは吸い寄せることにより移動させ、海底地盤を掘り下げる現象をいう。なお、洗掘の程度は、流速、土砂粒の大きさによって異なる。
【００１０】
沈錘に吊環を設けておくとよい。この吊環が設けられていると、沈錘の設置、ならびに、沈錘にスパーブイが取り付けられた状態でのブイの設置を容易に行うことができる。
【００１１】
また、沈錘の底面に、長手方向に対して直角方向に滑り防止材を取り付けておくとよい。沈錘の底面にこの滑り防止材が取り付けられていると、潮流、波浪によって沈錘がみだりに動くのを防止でき、磨耗防止にも役立つ。
【００１２】
ユニバーサルジョイントについては、そのすべり軸受にダストシールを装着し、砂粒混入による磨耗を防止し得るように工夫した。すべり軸受に装着されているダストシールにより、ユニバーサルジョイントの軸部分に砂粒が混入するのが防止され、その付近が磨耗するのを防止できる。
【００１３】
一方、前記標柱の上端には灯具が取り付けられているが、それをスイングボルトで接続するのが望ましい。この場合には、灯具破損時に灯具を可及的速やかに交換できる。
【００１４】
また、灯具の電源を太陽電池式とし、そのパネルを電源室の箱体壁面に沿わせて貼り付けるとよい。この場合には、太陽電池パネルの破損を極力防止できる。
【００１５】
灯具の灯火を電球とし、その保持台を防振装置付きのベースで保持することが望ましい。このようにした場合には、スパーブイが波浪その他の要因で揺動したときでも、灯火である電球やその他の器具を振動から保護することができる。
【００１６】
防振装置が側面截頭円錐形のインシュレータであり、それを複数個ベースに取り付け、インシュレータ付きのこのベースで電球の保持台を保持しておくことが望ましい。このようにした場合には、灯火である電球やその他の器具を振動から保護するのに最適である。
【発明の効果】
【００１７】
請求項１記載の発明によれば、砕波浅海域での波浪、潮流に対してもブイの強度が確保されるから、ブイが破損しにくいという効果がある。
【００１８】
請求項２記載の発明によれば、砂粒による飛まつ帯での標体の塗膜がはがれても錆が発生することも少なく、錆発生による汚れを防止できる効果がある。
【００１９】
請求項３記載の発明によれば、標体との係留点が偏芯しているため、沈錘の長手方向に移動させやすい特徴があり、砂中に埋没した沈錘を容易に引き上げることができる。
【００２０】
請求項４記載の発明によれば、潮流あるいは波浪により渦流が生じて砂が舞い上がることによる洗掘を防止できる効果がある。
【００２１】
請求項５記載の発明によれば、沈錘の設置、ならびに、沈錘にスパーブイが取り付けられた状態でのブイの設置を容易に行うことができる効果がある。
【００２２】
請求項６記載の発明によれば、潮流、波浪によって沈錘がみだりに動くのを防止でき、磨耗防止にも役立つという効果がある。
【００２３】
請求項７記載の発明によれば、ユニバーサルジョイントの軸部分に砂粒が混入するのが防止され、その付近が磨耗するのを防止できる効果がある。
【００２４】
請求項８記載の発明によれば、灯具破損時に灯具を可及的速やかに交換できる効果がある。
【００２５】
請求項９記載の発明によれば、太陽電池パネルの破損を極力防止できる効果がある。
【００２６】
請求項１０記載の発明によれば、スパーブイが波浪その他の要因で揺動したときでも、灯火である電球やその他の器具を振動から保護することができる効果がある。
【００２７】
請求項１１記載の発明によれば、灯火である電球やその他の器具を振動から保護するのに最適であるという利点を有する。
【発明を実施するための最良の形態】
【００２８】
本発明の好ましい実施の形態を、図面に基いて詳細に説明する。
本スパーブイは、図１３においてＤで示すように、人工リーフ、潜堤などの堤体Ａが設置されている砕波浅海域の海底Ｇに設標され、その付近に堤体Ａがあることを航行船舶に知らせる役目をするものである。従って、少なくとも、細い柱状の標体３とこの標体３を海底Ｇに設標するための沈錘４を備えており、この沈錘４には係留具であるユニバーサルジョイント５を介して標体３の下端が係留されている。また、標体３の上端、すなわち、標柱２の上端には、灯具６が備えられている。
【００２９】
１つの堤体Ａは長さＬ（５０ｍ程度）、幅Ｗ（２００ｍ程度）の大きさであり、図１４に示すように、それらを砕波浅海域の海底Ｇに間隔Ｓ（５０ｍ程度）を置いて数基設標され、人為的に砕波を発生させて背後海域（図１４の下側の海域、その長さＬ’は１２０ｍ程度）を静穏化するとともに、漂波による砂の流出を防ぐことができる。図１４の下側が陸側である。
【００３０】
そして、本スパーブイはそれを設置した砕波浅海域の海象条件（最大条件時と通常時における条件）にいずれも適合するものでなければならない。最大条件時とは、荒天時等海象条件の中で厳しい場合をいい、その条件下においてもスパーブイが動かないこと、流れないこと、標体が壊れないことであり、通常時の条件とは、穏やかな通常の海象条件の場合をいい、その条件下においてスパーブイが沈まないこと、灯火が正常に見えることが要求されている。
【００３１】
標体３をできるだけ細く、かつ、短くするために、しかも、それが壊れないようにするために、パイプ状の浮力体１の上方にそれより細いパイプ状の標柱２を連続させて１本の標体３としてある。この形状はペンシル型ということができ、浮力体１と標柱２とを、すなわち、１本の標体３をパイプ状とすることにより、その断面係数が高くなるとともに、曲げモーメントが分散せしめられるから、それらの強度を確保することができる。
【００３２】
また、浮力体１と標柱２の素材をステンレス鋼製としてあって、これにより、砂粒による飛まつ帯においてブイを使用しても標体３全体の塗膜がはがれた際標体３から錆が発生することも少なく、標体３からの錆発生による汚れを防止できる。そして、中空状の浮力体１の内部には、ウレタンフォームが充填してあって（図示しない）、ブイの復元力を高め得るようにしてある。
【００３３】
沈錘４については、荒天時等厳しい条件下においてもスパーブイが動かないようにするために、沈錘４を鋼製としてその重量を確保するとともに、ユニバーサルジョイント５による標体３との係留点を図１および図２に示すように偏芯させてある。すなわち、ユニバーサルジョイント５による標体３との係留点P5と沈錘４の中心線4aとは、図１、図２の左右方向において異なる位置にあり、このことからもユニバーサルジョイント５による標体３との係留点が沈錘４に対して偏芯させてあることを容易に理解することができる。
【００３４】
また、方形状の沈錘４の四隅部分は、図３(c)においてβ’で示すように、切除されている。このようにした場合には、図１５(a)に示す潮流により、あるいは、図１５(b)に示す波浪により、渦流が生じて砂が舞い上がることによる洗掘を防止できる。
洗掘とは、潮流、波浪の作用によって構造物の基礎底面付近に渦流を生じ、その周辺の土砂、礫などを巻き上げまたは吸い寄せることにより移動させ、海底地盤を掘り下げる現象をいうが、砕波浅海域の海底Ｇに設置されている沈錘４には四隅部分がないので、この洗掘現象が生じても埋没するのを防止できる。
【００３５】
また、切除されている四隅の上半分は、図３(b)においてβで示すように、斜めにカットされている。このようにすることにより、砕波浅海域の海底Ｇに設置されている沈錘４の基礎底面付近に、波浪の水分子速度（水平成分）作用によって渦流が生じるのを防止できる。なお、図３(b)における角度βは４５°であり、この角度にカットするのが渦流防止には最も理想的である。
【００３６】
また、四隅が切除されている沈錘４の左右に突出している部分のうち片側（図３(b)、(c)の左側）には、吊環4bが取り付けられている。この吊環4bは沈錘４の設置および引き上げに極めて便利である。なお、この吊環4bを利用して沈錘４を砕波浅海域の海底Ｇに設置する要領については、後述する。
【００３７】
さらに、この沈錘４の底面には、図３(a)，(b)に示すように、この底面に対して直角方向の滑り防止材4cを取り付けてある。沈錘４の底面にこの滑り防止材4cが取り付けられていると、潮流、波浪によって沈錘４がみだりに動くのを防止でき、磨耗防止にも役立つ。
【００３８】
ユニバーサルジョイント５は前記標体３を沈錘４に係留するためのものであって、荒天時等厳しい条件下においてもスパーブイが流れないように、ユニバーサルジョイント５も十分な強度を有することが要求されている。ユニバーサルジョイント５は、図２に拡大して示すように、沈錘４にユニバーサルジョイント５を取り付けるためのヒンジ5aに対して図２の左右方向に配置されている軸5bと、この軸5bに対して直交する方向（図２の紙面に対して直角の方向）に配置されている軸5cとを有している。従って、２本の軸5b，5cを中心として標体３を図１、図２の前後方向と左右方向に回動させることができる。
【００３９】
このユニバーサルジョイント５が十分な強度を有するものとするために、図４に示すように、左右方向に配置されている軸5bに左右方向からすべり軸受5d，5dが圧入されており、両すべり軸受5d，5dの外端とヒンジ5aの内側に取り付けられている当て板5e，5eとの隙間を覆い隠すように、オイルシールであるリング状のダストシール5f，5fが装着されている。また、左右方向の軸5bの両端は、軸止め5g，5gにより固定されている。
【００４０】
両ダストシール5f，5fは、図４に拡大して示すように、ユニバーサルジョイント５のヒンジ5aの左右方向の軸5bに圧入されているすべり軸受5d，5dの外端部周囲にそれぞれ嵌着されている。そして、各ダストシール5f，5fには、図４にさらに拡大して示すように、これと一体的で外方向に広がる圧接部材5f'が備えられており、この圧接部材5b'がヒンジ5aの内側に取り付けられている当て板5e，5eに圧接していることにより、すべり軸受5d，5dの外端とヒンジ5aの内側に取り付けられている当て板5e，5eとの隙間から砂粒が混入し、その付近や軸5bが磨耗するのを防止できる。なお、前記すべり軸受5dはフッ素樹脂製、当て板5e、軸止め5gはステンレス製、ダストシール5fはフッ素ゴム製とすることができる。
【００４１】
また、この軸5bに対して直交する方向（図２の紙面に対して直角の方向）に配置されている軸5cにも、軸5bの場合と同様に、すべり軸受5d，5dが圧入されており、さらに、軸5bの場合と同様に、当て板5e，5e、ダストシール5f，5fが取り付けられているが、それらについての詳細な説明と図示は省略する。すなわち、ここに示すユニバーサルジョイント５は２軸方式であり、軸5b、5cが磨耗しないように、すべり軸受5d，5d付き、ダストシール5f，5f付きとしてある。
【００４２】
一方、前記標柱２の上端2aには灯具６が取り付けられている。灯具６の灯火は通常の条件下で正常に見えなければならないが、それが見えるか見えないかは灯火の垂直発散角度と標体３の傾斜角とが関係するので、両角度を灯火が見える範囲内に設定しておく必要がある。そして、この灯具６の取り付けには、図５に示すように、灯具６の取付台6aに等間隔に複数個の切欠溝6b，6bを形成しておき、標柱２の上端2aに重ね合わせた取付台6aの外側から前記各切欠溝6b，6bにスイングボルト6c，6cを嵌め込んで標柱２の上端2aに固定してある。この取付方法を採用すれば、灯具破損時に灯具６を可及的速やかに交換できる。なお、この灯具６は標柱２の上端2aに始めから取り付けておいてもよいし、後述するように、輸送途中の段階で取り付けてもよい。
【００４３】
また、図６に示すように、灯具６の電源を太陽電池式とし、そのパネル6dを方形状としてそれを平面四角柱状の電源室6eの各箱体壁面に沿わせて貼り付けてある。この場合には、太陽電池パネル6dの破損を極力防止できる。
【００４４】
灯具６の灯火6fは、図６(a)に示すように、発光ダイオード（ＬＥＤ）としてもよいし、図６(b)に示すように、電球としてもよい。発光ダイオード（ＬＥＤ）の場合には、それらを同一平面上に同一間隔をおいて一点を中心とする放射状に配置することが望ましい。そして、発光ダイオード（ＬＥＤ）の場合も電球の場合も、電源を太陽電池式としてある。なお、図６(a)，(b)における図面符号6gは蓄電池、図５および図６(a)における図面符号6hはアンテナである。
【００４５】
一方、灯火6fを電球とした場合においては、図６(b)に示すように、その保持台6iを防振装置付きのベース6jで保持することが望ましい。防振装置付きのベース6jで灯火である電球を保持した場合には、スパーブイが波浪その他の要因で揺動したときでも、特に、砕波（高波浪）による衝撃力により振動したときでも、灯火である電球やその他の器具、例えば、図６(b)において図面符号6kで示す点滅器などを振動から保護することができる。
【００４６】
防振装置として、種々のものが考えられる。例えば、図７(A)に示すように、３本の支柱6lで灯火である電球やその他の器具を支える場合や、図７(B)に示すように、塩化ビニルなどの合成樹脂からなるスペーサー6mで支える場合、あるいは、図７(C)に示すように、側面截頭円錐形のインシュレータ6nを用い、それを複数個ベース6jに取り付け、複数個のインシュレータ6n，6n付きのこのベース6jで電球の保持台6iを保持する場合、さらには、図７(D)に示すように、防振材6pでプレート6oを挟み込み、ボルトを貫通させて灯火である電球やその他の器具を支える場合である。なお、電球の保持台6iと防振装置付きのベース6jとの間には、図６(b)および図７に示すように、スペーサー6qを介在させてある。
【００４７】
このような防振装置付きのベース6jで灯火である電球の保持台6iを保持した場合には、灯火である電球やその他の器具（例えば、点滅器6k）を振動から保護するのに適している。例えば、振動によるネジの緩み、電球のフィラメントの断芯を防止でき、コストを削減できるのみならず、度々点検しなくても済むという利点がある。そして、それらの結果として、海上標識としての信頼性が向上することにつながる。
なお、上記インシュレータ6n、防振材6pを、例えば、シリコン製とすれば、耐候性を特に向上させることができる。
【００４８】
図７(A)〜(D)に示す防振装置付きのベース6jで、灯火である電球の保持台6iを保持し、図６(a)，(b)において図面符号6rで示す基板と電球の中心にそれぞれ加速度計（加速度センサ）を設置した場合における振動試験結果を、図８〜図１１に示す。各図において、縦軸を加速度／基板加速度、横軸を周波数とし、図７(A)〜(D)の各場合におけるＸ方向（図６および図７の紙面に対して直角方向）とＹ方向（図６および図７の左右方向）のそれぞれについて表わした。
【００４９】
この試験結果によれば、ＡおよびＢ方式では、広範囲に複数の共振点が存在し（図８参照）、また、電球のフィラメントの固有振動数３４０Ｈｚと共振する（図９参照）から、電球の保持台の防振装置として好ましくないことが分かった。これに対して、ＣおよびＤ方式では、そのようなことがないので、電球の保持台の防振装置として好ましいということを確認することができた。特に、Ｃ方式の場合には、加速度／基板加速度の数値がＤ方式に比べてＣ方向、Ｄ方向とも極めて低い（図１０、図１１参照）から、この方式が最適であることが分かる。
【００５０】
この試験結果に基づいて、本発明では、電球の保持台の防振装置としてＣ方式を採用した。それによって、灯火である電球やその他の器具（点滅器6kなど）を振動から保護するのに最適である。例えば、振動によるネジの緩み、電球のフィラメントの断芯を十二分に防止でき、コストを大幅に削減できるのみならず、ほとんど点検しなくても済むという利点がある。そして、それらの結果として、海上標識としての信頼性が大幅に向上することになる。
【００５１】
その他、この砕波浅海域用のスパーブイＤには、図１に示すように、浮力体１と標柱２との境界付近に１つの吊環７が、また、標柱２の上端より少し下側の対称位置に２つの引き手８，８がそれぞれ取り付けられている。なお、図１の矢印は波の向きを示す。また、図１のH.W.Lは砕波限界波高、M.S.Lは標準波高、L.W.Lは水深を表わす。
【００５２】
このような構造のスパーブイＤを砕波浅海域の海底Ｇに設置する要領を、図１２を用いて説明する。
まず、図１２(a)に示すように、測量器Ｈ、ＧＰＳを用いて設置点の位置および水深を確認し、マーカーブイＩを設置する。
次いで、図１２(b)に示すように、沈錘４に吊バンドＪを通して吊り上げ、クレーン台船Ｋに積み込む。積み込み完了後、上述のスイングボルト6cを用いて灯具６を標柱２の上端に取り付ける。
なお、スパーブイＤと沈錘４はユニバーサルジョイント５で連結されており、互いに直交する２本の軸5b，5cを中心としてスパーブイＳを沈錘４に対して起伏可能であり、クレーン台船Ｋへの積み込みは図１２(b)に示すように倒した状態で行うことができる。
【００５３】
次に、図１２(c)に示すように、積み込まれたスパーブイＤの上端近くに取り付けられている引き手８に、舫い（ロープ）Ｋを取り付ける。また、スパーブイＤの途中に取り付けられている吊環７を利用し、吊りロープＭを用いてスパーブイＤを５０〜６０°起こす。
しかる後、図１２(d)に示すように、スパーブイＤを起こした状態で沈錘４を吊りロープＮで吊り上げ、そのままクレーンを旋回させる。
【００５４】
図１２(e)に示すように、吊り上げられた沈錘４とスパーブイＤとを、設置されたマーカーブイＩの位置に吊り下ろしていく。
スパーブイＤの浮力体１が着水したとき、図１２(f)に示すように、スパーブイＤの吊環７に取り付けられていた吊りロープＭを外す。この吊りロープＭを取り外した後、浮力体１の浮力によりスパーブイＤが起き上がって沈錘４の吊りロープＮと接触しないように、引き手８に取り付けられている舫い（ロープ）ＬでスパーブイＤを引き倒しておく。
【００５５】
図１２(g)に示すように、沈錘４が設置位置に着底すると、ダイバーが潜って沈錘４の設置位置を確認する。沈錘４が正規の位置に設置されていることを確認できると、沈錘４の吊りロープＮおよび舫い（ロープ）Ｌを取り外す。
そして、最後の作業として、図１２(h)に示すように、ダイバーにより沈錘４およびユニバーサルジョイント５の状況を確認し、水中写真を撮影する。
【００５６】
このようにして、砕波浅海域用のスパーブイＤを砕波浅海域の海底Ｇに設置することができる。この場合の沈錘４の設置状態は図１３に示す方向であり、吊環4bが取り付けられている方を人工リーフや潜堤Ａ側に向けて設置される。なお、図１３の左側、図１４の下側が陸側である。
【図面の簡単な説明】
【００５７】
【図１】本発明による砕波浅海域用スパーブイの一例を沈錘とともに示す側面図である。
【図２】係留具であるユニバーサルジョイントの一例を沈錘とともに示す拡大図である。
【図３】沈錘の一例を示す概略図で、(a)は吊環側から見た場合を示す。(b)は側面図、(c)は平面図である。
【図４】ユニバーサルジョイントの軸受部分を示す拡大断面図である。
【図５】灯具の一例を示す概略図で、上から見た場合を合わせて示す。
【図６】灯具の具体例を示す一部切欠の側面図で、(a)は発光ダイオード（ＬＥＤ）を用いた場合を、(b)は電球を用いた場合を示す。
【図７】灯具の灯火を電球とした場合において、その防振装置の具体例を示す概略図で、(A)は３本の支柱による場合を、(B)はスペーサーによる場合を、(C)は側面截頭円錐形のインシュレータによる場合を、(D)はプレート付き防振材による場合を示す。
【図８】電源室を取り付ける基板と電球の中心に加速度計（加速度センサ）をそれぞれ設置した場合において、図７(A)に示すＡ方式と図７(B)に示すＢ方式の防振装置を用いてＸ方向（図６および図７の紙面に対して直角方向）の振動試験を行った結果を示すグラフである。
【図９】電源室を取り付ける基板と電球の中心に加速度計（加速度センサ）をそれぞれ設置した場合において、図７(A)に示すＡ方式と図７(B)に示すＢ方式の防振装置を用いてＹ方向（図６および図７の左右方向）の振動試験を行った結果を示すグラフである。
【図１０】電源室を取り付ける基板と電球の中心に加速度計（加速度センサ）をそれぞれ設置した場合において、図７(C)に示すＣ方式と図７(D)に示すＤ方式の防振装置を用いてＸ方向（図６および図７の紙面に対して直角方向）の振動試験を行った結果を示すグラフである。
【図１１】電源室を取り付ける基板と電球の中心に加速度計（加速度センサ）をそれぞれ設置した場合において、図７(C)に示すＣ方式と図７(D)に示すＤ方式の防振装置を用いてＹ方向（図６および図７の左右方向）の振動試験を行った結果を示すグラフである。
【図１２】本スパーブイを砕波浅海域の海底に設置する要領を示す概略図である。
【図１３】砕波浅海域の海底に、固定式のブイ、係留式のブイ、本スパーブイをそれぞれ標識用に設置した状態を示す概略図である。
【図１４】人工リーフ、潜堤などの堤体を砕波浅海域の海底に設置した状態を示す平面図である。
【図１５】渦流が生じて砂が舞い上がる初期の状態とそれが進んで洗掘された状態を示す原理図で、(a)は潮流による場合を、(b)は波浪による場合を示す。
【符号の説明】
【００５８】
１…浮力体、２…標柱、３…標体、４…沈錘、4a…中心線、4b…吊環、4c…滑り防止材、５…ユニバーサルジョイント、5b，5c…軸、5d…すべり軸受、5f…ダストシール、5f'…圧接部材、P5…ユニバーサルジョイントの係留点、６…灯具、6c…スイングボルト、6d…太陽電池パネル、6e…電源室、6i…電球の保持台、6j…ベース、6n…インシュレータ、Ａ…人工リーフ（潜堤）、Ｄ…本発明のスパーブイ、Ｇ…砕波浅海域の海底。
【図１】
2005186752.tif 000003
【図２】
2005186752.tif 000004
【図３】
2005186752.tif 000005
【図４】
2005186752.tif 000006
【図５】
2005186752.tif 000007
【図６】
2005186752.tif 000008
【図７】
2005186752.tif 000009
【図８】
2005186752.tif 000010
【図９】
2005186752.tif 000011
【図１０】
2005186752.tif 000012
【図１１】
2005186752.tif 000013
【図１２】
2005186752.tif 000014
【図１３】
2005186752.tif 000015
【図１４】
2005186752.tif 000016
【図１５】
2005186752.tif 000017